(57)【要約】【課題】建物躯体へ取付部材で取り付けられたブラケットの横片へ個別にパネルを取り付けて建物用庇を完成させる。【解決手段】建物躯体１へ取付部材２を取り付け、この取付部材２にブラケット３を支持させて、該ブラケット３に個別にパネル４取り付ける建物用庇の取付構造Ａであって、上記取付部材２は、上記建物躯体１へ取り付ける基板２ａとブラケットを支持する脇板２ｂでＬ形をなすように形成された一対を用い、上記ブラケット３は、上記脇板２ｂへ接合する縦片３ａと、パネルを取り付ける横片３ｂでＬ形断面をなすように形成されて、上記横片３ｂにはパネル４の数と配置間隔に合せて孔８を開けられた一対を用い、上記パネル４は、上部を上記ブラケット３の横片３ｂに開けられた孔８へ取付金具で取り付けた必要数を用いること。【選択図】図１
2010270453.tif 000002
【特許請求の範囲】
【請求項１】
建物躯体へ取付部材を取り付け、この取付部材にブラケットを支持させて、該ブラケットに個別にパネルを取り付ける建物用庇の取付構造であって、
上記取付部材は、上記建物躯体へ取り付ける基板と、上記ブラケットを支持する脇板とでＬ形をなすように形成された一対を用い、
上記ブラケットは、上記脇板へ接合する縦片と、上記パネルを取り付ける横片とでＬ形断面をなすように形成されて、上記横片にはパネルの数と配置間隔に合せて孔を開けられた一対を用い、
上記パネルは、上部を上記ブラケットの横片に開けられた孔へ取付金具で取り付けた必要数を用いる
ことを特徴とする建物用庇の取付構造。
【請求項２】
建物躯体へ取付部材を取り付け、この取付部材にブラケットを支持させて、該ブラケットに個別にパネルを取り付ける建物用庇の取付構造であって、
上記取付部材は、上記建物躯体へ取り付ける基板と、上記ブラケットを支持する脇板とでＬ形をなすように形成された複数個を用い、
上記ブラケットは、上記脇板へ接合する縦片と、上記パネルを取り付ける横片でＬ形断面をなすように形成されて、上記横片にはパネルの数と配置間隔に合せて孔を開けられた両側の一対と、上記脇板へ接合する縦片と、上記パネルを取り付ける横片とでＴ形断面をなすように形成されて、上記横片にはパネルの数と配置間隔に合せて孔を開けられた中間用とを用い、
上記パネルは、上部を上記ブラケットの横片に開けられた孔へ取付金具で取り付けた必要数を用いる
ことを特徴とする建物用庇の取付構造。
【請求項３】
建物躯体へ取付部材を取り付け、この取付部材にブラケットを支持させて、該ブラケットに個別にパネルを取り付ける建物用庇の取付構造であって、
上記取付部材は、上記建物躯体へ取り付ける基板と、上記ブラケットを支持する脇板でＬ形をなすように形成された平面用と、上記建物躯体へ取り付ける基板と、上記ブラケットを支持させる脇板でくの字形をなすように形成されたコーナー用を用い、
上記ブラケットは、上記脇板へ接合する縦片と、上記パネルを取り付ける横片とでＴ形断面をなすように形成されて、上記横片にはパネルの数と配置間隔に合せて孔を開けられた複数個を用い、
上記パネルは、上部を上記ブラケットの横片に開けられた孔へ取付金具で取り付けた必要数をブラケットの間隔変化に長さを合せて用いる
ことを特徴とする建物用庇の取付構造。
【請求項４】
上記ブラケットは、縦片の基部で取付部材の脇板へ取り付けられて、横片には建物躯体へ近い位置までパネルを取り付ける孔を開けられている
ことを特徴とする請求項１〜請求項３に記載の建物用庇の取付構造。
【請求項５】
上記パネルは、その断面形状を矩形、丸形、台形、三角形等、複数種を用意し、これらのパネルを選択使用するものである
ことを特徴とする請求項１〜請求項４に記載の建物用庇の取付構造。
【請求項６】
上記パネルは、上記ブラケットの横片へ接する上部に長手方向の蟻溝を設けられ、この蟻溝に取付金具を移動自在に支持させてある
ことを特徴とする請求項１〜請求項５に記載の建物用庇の取付構造。
【請求項７】
上記パネルは、上部よりも下部の方が軒先側に位置するように傾斜して、上記ブラケットの横片へ取り付けられている
ことを特徴とする請求項１〜請求項６に記載の建物用庇の取付構造。
【発明の詳細な説明】
【技術分野】
【０００１】
本発明は、採光性を備える庇を簡単に建物へ取り付ける建物用庇の取付構造に関するものである。
【背景技術】
【０００２】
採光性を備える建物用庇であって、躯体への取付用フランジを有するベース部材と、このベース部材の両端にそれぞれ基端を連ねて延出する一対のサイドアームとを備え、これらサイドアームのそれぞれに形成されている溝に、採光可能な屋根部材を前記サイドアームの先端からスライドさせて挿入し、前記サイドアームの先端に、これらサイドアーム同士を接続し、前記屋根部材を支持するフロントアームを設けて構成したものは知られている（例えば特許文献１）。
【先行技術文献】
【特許文献】
【０００３】
【特許文献１】特開２００６−１８３３４５号公報
【発明の概要】
【発明が解決しようとする課題】
【０００４】
しかしながら、上記建物用庇は、霧除けの両端に固定用アングルを取り付け、この固定用アングルにサイドアームとセンターアームを取り付けてから、連結部材の凸部にルーバーの両端開口を挿入して、３本と４本のルーバーが連結部材で連結された屋根部材を組み立て、これら屋根部材をサイドアームとセンターアームに設けられた溝へ先端側から挿入して、後端が霧除けに当ったらセンターアームの溝へ固定用ブッシュを入れ、屋根部材のガタ付きを止める。そして、サイドアームには連結部材をボルト等で固定する。次に、サイドアームの先端に固定部材とコーナーキャップを取り付け、サイドアームの間にはフロントアームを掛け渡して、サイドアームとフロントアームにはアームカバーを取り付けて取付を完了するものであって、取付作業が大変手間取るだけでなく、使用する部品の数が多いためコストアップが大であり、また、屋根部材のルーバーを交換する際には、サイドアームからフロントアームを離脱してサイドアームの溝を開口させ、サイドアームから屋根部材を固定するボルトを外し、センターアームからは固定ブッシュを外して、溝から屋根部材を引き出し、連結部材からルーバーを抜き取って他のものと交換しなければならないから、この作業も取り付けと同様、大変に手間が掛かるという問題点を有する。
【課題を解決するための手段】
【０００５】
前記課題を解決するため、請求項１に係る発明は、建物躯体へ取付部材を取り付け、この取付部材にブラケットを支持させて、該ブラケットに個別にパネルを取り付ける建物用庇の取付構造であって、上記取付部材は、上記建物躯体へ取り付ける基板と、上記ブラケットを支持する脇板とでＬ形をなすように形成された一対を用い、上記ブラケットは、上記脇板へ接合する縦片と、上記パネルを取り付ける横片とでＬ形断面をなすように形成されて、上記横片にはパネルの数と配置間隔に合せて孔を開けられた一対を用い、上記パネルは、上部を上記ブラケットの横片に開けられた孔へ取付金具で取り付けた必要数を用いることを特徴とする。
【０００６】
請求項２に係る発明は、建物躯体へ取付部材を取り付け、この取付部材にブラケットを支持させて、該ブラケットに個別にパネルを取り付ける建物用庇の取付構造であって、上記取付部材は、上記建物躯体へ取り付ける基板と、上記ブラケットを支持する脇板とでＬ形をなすように形成された複数個を用い、上記ブラケットは、上記脇板へ接合する縦片と、上記パネルを取り付ける横片でＬ形断面をなすように形成されて、上記横片にはパネルの数と配置間隔に合せて孔を開けられた両側の一対と、上記脇板へ接合する縦片と、上記パネルを取り付ける横片とでＴ形断面をなすように形成されて、上記横片にはパネルの数と配置間隔に合せて孔を開けられた中間用とを用い、上記パネルは、上部を上記ブラケットの横片に開けられた孔へ取付金具で取り付けた必要数を用いることを特徴とする。
【０００７】
請求項３に係る発明は、建物躯体へ取付部材を取り付け、この取付部材にブラケットを支持させて、該ブラケットに個別にパネルを取り付ける建物用庇の取付構造であって、上記取付部材は、上記建物躯体へ取り付ける基板と、上記ブラケットを支持する脇板でＬ形をなすように形成された平面用と、上記建物躯体へ取り付ける基板と上記ブラケットを支持させる脇板でくの字形をなすように形成されたコーナー用を用い、上記ブラケットは、上記脇板へ接合する縦片と、上記パネルを取り付ける横片とでＴ形断面をなすように形成されて、上記横片にはパネルの数と配置間隔に合せて孔を開けられた複数個を用い、上記パネルは、上部を上記ブラケットの横片に開けられた孔へ取付金具で取り付けた必要数をブラケットの間隔変化に長さを合せて用いることを特徴とする。
【０００８】
請求項４に係る発明は、請求項１〜請求項３において、上記ブラケットは、縦片の基部で取付部材の脇板へ取り付けられて、横片には建物躯体へ近い位置までパネルを取り付ける孔を開けられていることを特徴とする。
【０００９】
請求項５に係る発明は、請求項１〜請求項４において、上記パネルは、その断面形状を矩形、丸形、台形、三角形等、複数種を用意し、これらのパネルを選択使用するものであることを特徴とする。
【００１０】
請求項６に係る発明は、請求項１〜請求項５において、上記パネルは、上記ブラケットの横片へ接する上部に長手方向の蟻溝を設けられ、この蟻溝に接合部材を移動自在に支持させてあることを特徴とする。
【００１１】
請求項７に係る発明は、請求項１〜請求項６において、上記パネルは、上部よりも下部の方が軒先側に位置するように傾斜して、上記ブラケットの横片へ取り付けられていることを特徴とする。
【発明の効果】
【００１２】
請求項１に係る発明によれば、建物躯体へ一対の取付部材を取り付け、これら取付部材にブラケットを支持させて、各ブラケットの横片に開けられた孔へ、パネルの上部に支持させた取付金具を横片の上側へ取り付けるから、孔でパネル間隔を正しく決められた庇を僅かな手間で速やかに設置することができて、しかも、使用する部品が３種類と少ないため、コストダウンにも有効であり、更に、ブラケットへパネルを支持する取付金具を外せば、パネルが離脱されて他のパネルとの交換も容易にできる。
【００１３】
請求項２に係る発明によれば、建物躯体へ取付部材を両側の一対と、中間のものを取り付け、これら取付部材にそれぞれブラケットを支持させて、各ブラケットの横片に開けられた孔へ、パネルの上部に支持させた取付金具を横片の上側で取り付けるから、孔でパネル間隔を正しく決められて、複数が併設された連結仕様の建物用庇を僅かな手間で速やかに設置することができ、しかも、使用する部品が３種類と少ないため、コストダウンにも有効であり、更に、ブラケットを支持する取付金具を外せば、パネルが離脱されて他のパネルとの交換も容易にできる。
【００１４】
請求項３に係る発明によれば、建物躯体へ取付部材を両側一対と中間のものを取り付けると、コーナーに取り付けられた中間ブラケットと、建物躯体の長手面に取り付けられた中間ブラケットとの間隔が変化するから、上記間隔の変化に応じて長さを変えたパネルをブラケットへ取付ければコーナー庇が形成させるので、このコーナー庇で建物躯体の一面に設置される庇と、他面に設置される庇を連続させて、２面に渡って一連の建物用庇を得ることができため、建物躯体の意匠性が高められるだけでなく、使用する部品が３種類と少ないため、コストダウンにも有効であり、更に、パネルをブラケットへ個別に取付けるため、パネルを離脱して他のパネルと交換することも容易にできる。
【００１５】
請求項４に係る発明によれば、上記ブラケットは、縦片で取付部材の脇板へ取り付けられて、横片には建物躯体に近い位置までパネルを取り付ける孔を開けられるから、上記孔へパネルの上部に支持させた取付金具を通して、上側から接合を行えば建物躯体の近くからパネルを設置して採光性の向上を図ることができる。
【００１６】
請求項５に係る発明によれば、パネルの断面形状が異なるものを複数種用意して、これらを選択使用すれば、建物躯体の意匠に適合した庇を形成することが容易であり、また、日射や風雨及び視線等の状況に応じて、過度の日射や風雨及び視線は遮ぎりつつ必要な採光が得られるようにすることも容易にできる。
【００１７】
請求項６に係る発明によれば、パネルの上部に開口側が狭い溝を長手方向に設けて、この溝に取付金具の頭を支持させるから、取付金具を脱落しないように溝に支持させて置き、孔との位置合せをスライドで速やかに行えるため作業性がよい。
【００１８】
請求項７に係る発明によれば、パネルを上部よりも下部が軒先側に位置するように傾斜させれば、該パネルを適当な間隔でブラケットへ取付けることで、過度の日射や風雨及び視線は遮ぎりつつ必要な採光ができるようにすることも容易にできる。
【図面の簡単な説明】
【００１９】
【図１】請求項１に係る取付構造で取り付けた単独仕様の建物用庇を示す斜視図。
【図２】同上建物用庇の縦断側面図
【図３】同上建物用庇の出幅が大きいものを吊アームで補強した縦断側面図
【図４】同上建物用庇の取り付けに用いた取付部材の斜視図。
【図５】同上建物用庇の取り付けに用いたブラケットの斜視図。
【図６】（ａ）（ｂ）（ｃ）（ｄ)は、同上建物用庇の取付構造に用いた４種類のパネルの一部分を示す斜視図。
【図７】請求項２に係る取付構造で取り付けた連結仕様の建物用庇を示す斜視図。
【図８】同上建物用庇の取り付けに用いた中間ブラケットの斜視図。
【図９】同上建物用庇を建物躯体へ取り付ける状態の一部分を示す説明図。
【図１０】請求項３に係る取付構造で取り付けたコーナーの建物用庇を示す斜視図。
【図１１】上記コーナーの建物用庇を構成する状態を示す説明図。
【図１２】上記コーナーの建物用庇の取り付けに用いた取付部材の斜視図。
【図１３】請求項３に係る取付構造で取り付けた他のコーナーの建物用庇を示す斜視図。
【図１４】上記他のコーナーの建物用庇を構成する状態を示す説明図。
【図１５】上記他のコーナーの建物用庇の取り付けに用いた取付部材の斜視図。
【発明を実施するための形態】
【実施例１】
【００２０】
この実施例は、請求項１に係る建物用庇の取付構造を示すものであって、図１〜図３において符号Ａは、この構造で取り付けられた建物用庇を示す。該建物用庇Ａは、建物躯体１へ取付部材２を取り付け、この取付部材２にブラケット３を支持させて、該ブラケット３に個別にパネル４を取り付けることで採光性を備えさせた建物用庇Ａを構成させるものである。
【００２１】
上記取付部材２は、図４に示す通り、上記建物躯体１へ取り付ける基板２ａと、上記ブラケット３を支持させる脇板２ｂでＬ形をなすように形成されて、基板２ａには、建物躯体１へ取り付けるための孔５を複数個開けられ、脇板２ｂには上記ブラケット３を取り付けるための孔６を複数個開けられる。
【００２２】
上記ブラケット３は、図５に示す通り、上記取付部材２へ接合する縦片３ａと、上記パネル４を取り付ける横片３ｂでＬ形断面をなすように形成されて、上記縦片３ａには、上記取付部材２の脇板２ｂに開けられた孔６に合せて孔７を開けられ、横片３ｂには、上記パネル４を取り付ける孔８を、取り付けるパネル４の数と配置間隔に合せて開けられている。なお、上記横片３ｂに開けられる孔８は、図５において円内に示す通り、外方へ開口するＵ字形に開けて、後記ボルトを横移動させて開放側から簡単に内部へ納まらせてもよい。
【００２３】
上記パネル４は、建物躯体１に対して必要な採光が行なわれて、過度の日射や風雨及び視線は遮られるようにするために、上部よりも下部が軒先側に位置するように傾斜させている。このパネル４は図６に示すように複数種用意することで意匠性が高まる。すなわち、パネル４の断面形状は、図６（ａ）に示す縦長の四辺形、図６（ｂ）に示す縦長の三角形、図６（ｃ）に示す縦長の台形、その他の形状を基本として、図６（ａ）に示す通りに角立つようにするか、図６（ｂ）に示す通りに角丸にするか、或いは、角面取り（図面省略）をするか、図６（ｃ）に示す通り一部又は全部の面を湾曲させる等とすることで、意匠性が高められるようにする。なお、ブラケット３の先端部へ取り付ける図６（ｄ）に示すパネル４は、建物用庇Ａの前方視の意匠性を高める必要があるので、図２に示す通り上記ブラケット３の先端側の形状に馴染む扁平三角形等に形成されている。
【００２４】
上記パネル４は、上端で上記ブラケット３の横片３ｂへ取り付けるものであるから、上部に図６（ａ）（ｂ）（ｃ）（ｄ）の各図に示す通り平面部４ａを設けて、この平面部４ａに溝９を長手方向に形成し、この溝９へ図２に示す通り取付金具のボルト１０の頭１０ａを係合させて、ボルト１０は溝９内を自在に移動できるが脱落しない支持をさせる。
【００２５】
この実施例１で建物用庇Ａを取り付けるときは、先ず、取付部材２の基板２ａに開けられた孔５にアンカーボルト１１を通して、上記アンカーボルト１１へナット１２を螺合して締め付け、取付部材２を建物躯体１へ取り付ける。
【００２６】
次に、上記取付部材２の脇板２ｂへ、外側からブラケット３をそれぞれ被せ着けて、取付部材２の脇板２ｂに開けられた孔６と、ブラケット３の縦片３ａに開けられた孔７を合せて、上記孔６と孔７にボルト１３を挿し通し、このボルト１３にナット１４を螺合して締め付け、一対のブラケット３を取付部材２を介して建物躯体１へ取り付ける。
【００２７】
次には、一方のブラケット３と他方のブラケット３の間へ、パネル４を下側から挿入して、パネル４の上部に形成された溝９に頭１０ａを係合させた取付金具のボルト１０を、パネル４の横片３ｂに開けられている孔８に、図２のように通すことでパネル４の上部を上記横片３ｂへ当接させる。そして、上記ボルト１０へナット１５を螺合して締め付け、パネル4をブラケット３へ取り付ける。この取り付けをパネル４の必要数だけ繰り返し行うと、パネル４が適当な間隔を有して並列され、必要な採光が行なわれて、過度の日射や風雨及び視線は遮ぎる単独仕様の建物用庇Ａが図１〜図３に示す通りに設置される。
【００２８】
上記の通り設置される建物用庇Ａは、図面には示してないが、ブラケット３の長さが異なる物を幾種類か用意すると、庇の出幅を多様に設定することができ、また、横片３ｂに開けられた孔８の数を変えると、パネル４の数が異なる幾種類もの建物用庇Ａを容易に形成することができる。なお、形成された建物用庇Ａの出幅が図３に示す通り大きい場合は、建物躯体１とブラケット３との間に吊りアーム１６を配置して、該吊りアーム１６の一端を止め金具１７で建物躯体１へ固定し、他端をブラケット３の横片３ｂへ連結具１８で連結すれば、より強度の優れた建物用庇Ａを構成することができる。
【実施例２】
【００２９】
この実施例２は、請求項２に係る建物用庇の取付構造を示すものであって、図７において符号Ａ１は、この構造で取り付けられた建物用庇を示す。この建物用庇Ａ１は、建物躯体１へ取付部材２を取り付け、この取付部材２にブラケット３を支持させて、該ブラケット３に個別にパネル４を取り付けることで採光性を備えさせた建物用庇Ａを構成する基本の構成は実施例１と同じである。しかし、上記実施例１は、一対のブラケット３、３の間にパネル４を１組配置するのに対し、この実施例２では、両側一対のブラケット３、３の間に、パネル４を取り付ける横片を両側に有する中間ブラケット３´を必要数配置することで、パネル４の複数組が連続して配置された連結仕様とするものであって、取付部材２と両側一対のブラケット３、３とパネル４は、実施例１のものと同一のものを用いる。しかし、中間ブラケット３´は、両側にパネル４を取付けるための構造が相違するものを用いるので、以下この中間ブラケットの構造のみに付いて説明を行う。
【００３０】
上記中間ブラケット３´は、図８に示す通り取付部材２の脇板２ｂへ接合する縦片３ａと、パネル４を取り付ける一対の横片３ｂ、３ｂとで、Ｔ形断面をなすように形成されて、上記縦片３ａには、上記取付部材２の脇板２ｂに開けられた孔５に合せて孔７を開けられ、上記横片３ｂには、パネル４を取り付ける孔８を、パネルの数と配置間隔に合せて開けられている。なお、上記横片３ｂに開けられる孔８は、図８において円内に示す通り、外方へ開口するＵ字形に開け、取付金具のボルト１０を横移動させて開放側から簡単に内部へ納ませてもよい。なお、この中間ブラケット３´は、パネル４を取り付ける横片３ｂを両側に有しているため、図７及び図９に示す通り、その縦片３ａを一対の取付部材２の脇板２ｂ、２ｂで、両側から挟ませて建物躯体１へ取り付けるようにすることが好ましい。
【００３１】
この実施例２で建物用庇Ａ１を建物躯体１へ取り付けるには、両側に設ける一対の取付部材２、２と、中間に設ける１組の取付部材２、２を、各々の基板２ａに開けられた孔５から図９に示す通り建物躯体１にセットされている両側のアンカーボルト１１、１１と、中間の１組のアンカーボルト１１、１１が出るように建物躯体１へ押し付けて、各アンカーボルト１１へそれぞれナット１２を螺合して締め付け、両側一対の取付部材２、２と、中間の１組の取付部材２、２を建物躯体１へ取り付ける。
【００３２】
次に、両側一対の取付部材２、２の脇板２ｂには、外側から一対のブラケット３を被せ付け、中間の1組の取付部材２の脇板２ｂ、２ｂの間には、中間のブラケット３´の縦片３ａを挿し入れて、上記各脇板２ｂに開けられた孔６と、上記各縦片３ａに開けられた孔７をそれぞれ合せて、ボルト１３を挿し通し、このボルト１３にナット１４を螺合して締め付け、両側一対のブラケット３、３と中間ブラケット３´を取付部材２を介して建物躯体１へ取り付ける。
【００３３】
次には、中間のブラケット３´と両側一対のブラケット３、３の間へ、下側からパネル４を挿入して、各パネル４の上部に形成された溝９へ頭１０ａを係合させた取付金具のボルト１０を、一対のブラケット３、３及び中間ブラケット３´の横片３ｂに開けられた孔８へ挿し通して、各パネル４の上部を各ブラケット３、３と３´の横片３ｂへ当接させ、上記各ボルト１０へナット１５を螺合して締め付け、パネル４を両側のブラケット３、３と中間ブラケット３´へ取り付ける。この取り付けをパネル４の必要数だけ繰り返し行うと、パネル４が適当な間隔を有して並列されて、建物躯体１の必要な範囲を必要な採光が行なわれて、過度の日射や風雨及び視線は遮ぎるようにする連結仕様の建物用庇Ａ１が設置される。
【００３４】
なお、この実施例は、両側一対の取付部材２、２の間に取り付ける中間の取付部材２の数を増すと、これに応じて上記取付部材２に支持される中間ブラケット３´の数が増して、増加した各中間ブラケット３´、３´の間に、それぞれパネル４を取り付ければ、連続するパネルの組数が増して、希望する長さの連結仕様の建物用庇Ａ１を設置することができる。
【実施例３】
【００３５】
この実施例３は、請求項３に係る建物用庇の取付構造を示すものであって、図１０において符号Ａ２は、この構造で取り付けられた出隅コーナーの建物用庇を示す。この建物用庇Ａ２は、建物躯体１へ取付部材２を取り付け、この取付部材２にブラケット３を支持させて、該ブラケット３に個別にパネル４を取り付けることで採光性を備えさせた建物用庇Ａを構成する基本の構成は実施例１と同じである。さらに、両側一対のブラケット３、３の間に、パネル４を取り付ける横片３ｂを両側に有する平面用の中間ブラケット３´を配置し、該中間ブラケット３´にパネル４を取り付け、建物躯体１の長手面へ連結仕様の建物用庇Ａ１の構成は実施例２と同じである。しかし、上記実施例１及び実施例２では総ての中間ブラケット３´が、建物躯体１の同一面へ平行するように取り付けられて、等しい間隔を保持しているのに対し、この実施例３は、中間ブラケット３´が、建物躯体１の出隅コーナー（イ）へ取り付けられるから、その両側で建物躯体１の一面１ａと、他面１ｂへ取り付けられる中間ブラケット３´との間隔が、先開きに変化する点で実施例１及び実施例２とは相違するので、これら構造が異なる部材のみに付いて以下に説明する。
【００３６】
上記の通り中間ブラケット３´を建物躯体１の出隅コーナー（イ）へ取り付ける取付部材２１は、建物躯体１へ取付ける基板２ａと、中間ブラケット３´を支持させる脇板２ｂが図１１及び図１２に示す通り鈍角でくの字形をなすように形成されて、この取付部材２１の一対を合せると、両方の脇板２ｂ、２ｂ、が図１１に示す通り出隅コーナー（イ）に適合する角度で取り付けられ、基板２ａへの孔５の開け方と、脇板２ｂへの孔６の開け方は上記実施例と変わらない。
【００３７】
上記中間ブラケット３´の出隅コーナー（イ）に取り付けられるものは、図１１に示す通り建物躯体１の一面１ａへ取り付けられた中間のブラケット３´の先端を結ぶ直線Ｌ１と、建物躯体１の他面１ｂに取り付けられた中間のブラケット３´の先端を結ぶ直線Ｌ２の交点は、先端が剣先形をなしている。
【００３８】
上記の通り出隅コーナー（イ）へ取り付けられる中間のブラケット３´と、その両側で建物躯体１の一面１ａと他面１ｂへ取付けられる中間のブラケット３´、３´との間隔は、図１１に示す通り先開きに変化するものであるから、この部分に使用されるパネル4は、上記間隔の変化に合せて、図１０に示す通り建物躯体１に近いものは短くて、遠いものほど長くなるように長さを形成されている。
【００３９】
この実施例３で建物用庇Ａ２を建物躯体１へ取り付けるには、建物躯体１の出隅コーナー（イ）へ図１１に示す通り、一対の取付部材２１、２１を取り付けて、この取付部材２の脇板２ｂ、２ｂの間へ中間ブラケット３´の縦片３ａを挟ませ、ボルトとナット（図面省略）で結合することで、中間ブラケット３´を出隅コーナー（イ）へ取り付ける。そして、建物躯体１の一面１ａと他面１ｂには、それぞれ図１１に示す通り、取付部材２、２で中間ブラケット３´、３´を取り付ければ、これら中間ブラケット３´、３´と出隅コーナー（イ）に取り付けられた中間ブラケット３´との間には、図１１に示す通り建物躯体１側が狭くて、軒先側は次第に広くなる先開きの間隔が生じる。
【００４０】
次に、上記した間隔の先開きに合せて長さを形成したパネル４を、例えば、奥側の短いものから先側の長いものへと、順次に取付金具で対をなす中間ブラケット３´、３´の横片３ｂ、３ｂへ取り付けて、最後に先端用のパネル４を取付ければ、図１０に示す通り建物躯体１の出隅コーナー（イ）に出隅コーナーの建物用庇Ａ２が設置されて、この出隅コーナーの建物用庇Ａ２は、建物躯体１の一面１ａに設置された連結仕様の建物用庇Ａ１と
、他面１ｂに設置された連結仕様の建物用庇Ａ１を連結して、従来は出隅コーナー（イ）の部分で途切れていた２面の建物用庇Ａ１、Ａ１を一連のものとする。
【実施例４】
【００４１】
この実施例４は、請求項３に係る建物用庇の取付構造を示すものであって、図１３において符号Ａ３は、この構造で取り付けられた入隅コーナーの建物用庇を示す。この建物用庇Ａ３は、建物躯体１へ取付部材２を取り付け、この取付部材２にブラケット３を支持させて、該ブラケット３に個別にパネル４を取り付けることで採光性を備えさせた建物用庇Ａを構成する基本の構成は実施例１と同じである。さらに、両側一対のブラケット３、３の間に、パネル４を取り付ける横片３ｂを両側に有する中間ブラケット３´を配置し、該中間ブラケット３´にパネル４を取り付け、建物躯体１の長手面へ連結仕様の建物用庇Ａ１の構成は実施例２と同じである。しかし、上記実施例１及び実施例２では総ての中間ブラケット３´が、建物躯体１の同一面へ平行するように取り付けられて、等しい間隔を保持しているのに対し、この実施例４は、中間ブラケット３´が、建物躯体１の入隅コーナー（ロ）へ取り付けられるから、その両側で建物躯体１の一面１ａと、他面１ｂとに取り付けられる中間ブラケット３´、３´との間隔が、先窄まりに変化する点で実施例１及び実施例２とは相違する。このため、中間ブラケット３´を入隅コーナー（ロ）へ取り付ける取付部材２と、先狭まりに変化する間隔へ取付けられるパネル４の構造が実施例１及び実施例２とは相違するので、これら構造が異なる部材のみについて以下に説明する。
【００４２】
上記の通り中間ブラケット３´を建物躯体１の入隅コーナー（ロ）へ取り付ける取付部材２２は、建物躯体１へ取付ける基板２ａと、中間ブラケット３´を支持させる脇板２ｂが図１４及び図１５に示す通り鋭角でしの字形をなすように形成されて、この取付部材２２の一対を合せると、両方の脇板２ｂ、２ｂが図１４に示す通り、入隅コーナー（ロ）に適合する角度で取り付けられ、基板２ａへの孔５の開け方と、脇板２ｂへの孔６の開け方は上記実施例と変わらない。
【００４３】
上記中間ブラケット３´の入隅コーナー（ロ）に取り付けられるものは、図１４に示す通り建物躯体１の一面１ａへ取り付けられた中間のブラケット３´の先端を結ぶ直線Ｌ３と、建物躯体１の他面１ｂへ取り付けられた中間のブラケット３´の先端を結ぶ直線Ｌ４の交点に先端が達する長さに形成されている。
【００４４】
上記の通り入隅コーナー（ロ）へ取り付けられる中間のブラケット３´と、その両側で建物躯体１の一面１ａと他面１ｂに取付けられる中間のブラケット３´、３´との間隔は、図１４に示す通り、先窄まりに変化するものであるから、この部分に使用されるパネル４は、上記間隔の変化に合せて図１３に示す通り建物躯体１に近いものは長くて、遠いものほど短くなるように長さを形成されている。
【００４５】
この実施例４で建物用庇Ａ３を建物躯体１へ取り付けるには、建物躯体１の入隅コーナー（ロ）へ図１４に示す通り、一対の取付部材２２、２２を取り付けて、これら取付部材２２、２２の脇板２ｂ、２ｂの間へ中間ブラケット３´の縦片３ａを挟ませ、ボルトとナット（図面省略）で結合することで中間ブラケット３´を入隅コーナー（ロ）へ取り付ける。そして、建物躯体１の一面１ａと他面１ｂには、それぞれ図１４に示す通り、取付部材２、２で中間ブラケット３´と３´を取り付ければ、これら中間ブラケット３´、３´と入隅コーナー（ロ）に取り付けられた中間ブラケット３´との間に、図１４に示す通り建物躯体１側が広くて、軒先側は次第に狭くなる先窄まりの間隔が生ずる。
【００４６】
次に、上記した間隔の先窄まりに合せて長さを形成したパネル４を、例えば奥側の長いものから先側の短いものへと、順次に取付金具で対をなす中間ブラケット３´、３´の横片３ｂ、３ｂへ取り付けて、最後に先端用のパネル４を取付ければ、図１３に示す通り建物躯体１の入隅コーナー（ロ）には入隅コーナーの建物用庇Ａ３が設置されて、この入隅コーナーの建物用庇Ａ３は、建物躯体１の一面１ａに設置された連結仕様の建物用Ａ１と、他面１ｂに設置された連結仕様の建物用庇Ａ１を連結して、従来は入隅コーナー（ロ）の部分で途切れていた２面の建物用庇Ａ１、Ａ１を一連のものとする。
【産業上の利用可能性】
【００４７】
採光性を備える各種の建物用庇を、低コストで手間を掛けずに取り付けることができて、取り付け後のパネルの交換も容易に行える。
【符号の説明】
【００４８】
Ａ    建物用庇
１    建物躯体
２    取付部材
３    ブラケット
４    パネル
８    孔
１０    ボルト
【図１】
2010270453.tif 000003
【図２】
2010270453.tif 000004
【図３】
2010270453.tif 000005
【図４】
2010270453.tif 000006
【図５】
2010270453.tif 000007
【図６】
2010270453.tif 000008
【図７】
2010270453.tif 000009
【図８】
2010270453.tif 000010
【図９】
2010270453.tif 000011
【図１０】
2010270453.tif 000012
【図１１】
2010270453.tif 000013
【図１２】
2010270453.tif 000014
【図１３】
2010270453.tif 000015
【図１４】
2010270453.tif 000016
【図１５】
2010270453.tif 000017